(57)【特許請求の範囲】
【請求項１】
育成室と、前記育成室の下方に空気吹出孔を有する空気吹出板を介在させて形成された空気吹出室と、前記育成室及び空気吹出室の側方に形成された機械室と、前記育成室の上側位置において前記育成室と前記機械室との間を連通させる空気流出口と、前記空気吹出室と前記機械室との間を連通させる空気流入口と、前記機械室に配置された送風機と、前記空気吹出室から前記空気吹出板を介して前記育成室へ調整された空気が吹き出されるように空気を調整する空気調整手段と、を備えた植物育成装置であって、
当該植物育成装置が設置される基礎に突設されたアンカーボルトに、前記植物育成装置の底フレームに設けられた取付部が固定される植物育成装置において、前記空気吹出室及び前記機械室の底面となるドレーンパンを設けずに、前記基礎の上面が前記空気吹出室及び前記機械室の底面となるようにし、
前記空気吹出室及び前記機械室の底面となる前記基礎の上面に落ちた水が外部に排水されるように、前記底フレームの内側の領域から前記底フレームの下側位置を介して前記底フレームの外側の領域に延在する排水溝を前記基礎に形成するとともに、前記基礎に水勾配を形成し、
前記底フレームの内側の領域において前記アンカーボルトを前記基礎に突設したことを特徴とする植物育成装置。
【請求項２】
前記排水溝における前記底フレームの下側位置の部分に、粒状物を敷設したことを特徴とする請求項１記載の植物育成装置。
【請求項３】
育成室と、前記育成室の下方に空気吹出孔を有する空気吹出板を介在させて形成された空気吹出室と、前記育成室及び空気吹出室の側方に形成された機械室と、前記育成室の上側位置において前記育成室と前記機械室との間を連通させる空気流出口と、前記空気吹出室と前記機械室との間を連通させる空気流入口と、前記機械室に配置された送風機と、前記空気吹出室から前記空気吹出板を介して前記育成室へ調整された空気が吹き出されるように空気を調整する空気調整手段と、を備えた植物育成装置であって、
当該植物育成装置が設置される基礎に突設されたアンカーボルトに、前記植物育成装置の底フレームに設けられた取付部が固定される植物育成装置において、前記空気吹出室及び前記機械室の底面となるドレーンパンを設けずに、前記基礎の上面が前記空気吹出室及び前記機械室の底面となるようにし、
前記空気吹出室及び前記機械室の底面となる前記基礎の上面に落ちた水が外部に排水されるように、前記底フレームの内側の領域において前記基礎に排水溝及び水勾配を形成するとともに、前記底フレームの外側の領域に導出される排水管が前記排水溝に接続され、
前記底フレームの内側の領域において前記アンカーボルトを前記基礎に突設したことを特徴とする植物育成装置。
【請求項４】
前記排水管が水封トラップ部を有することを特徴とする請求項３記載の植物育成装置。
【請求項５】
前記底フレームと前記基礎との間の隙間をシール剤でコーキングすることを特徴とする請求項１乃至４のいずれかに記載の植物育成装置。
【発明の詳細な説明】
【０００１】
【発明の属する技術分野】
本発明は、植物の育種又は栽培など、農学の研究、実験に使用する植物育成装置に関するものである。
【０００２】
【従来の技術】
植物育成装置は、植物の環境因子である温度、湿度などを人為的に制御した環境下で自然光（太陽光）又は照明器具等の人工光源によって植物を育成するために使用する装置であり、植物を収容する育成室内の温度及び湿度の制御は、育成室の外部に配置された冷却コイル、電気ヒータ、加湿器等の空気調整装置（空気調和装置）を用いて、所望の温度や湿度に制御した空気を送風機によって循環させ、空気吹出部から育成室内に吹き出すことにより行われている。
【０００３】
このような植物育成装置の従来例について、図５乃至図７を参照して説明する。
【０００４】
図５は従来の植物育成装置を示す概略縦断面図、図６は図５中のＡ−Ａ矢視図、図７（ａ）は図６中のＢ−Ｂ矢視図、図７（ｂ）は図６中のＣ−Ｃ矢視図である。なお、図６において、基礎１４と底フレーム１１等との位置関係を明らかにするため、底フレーム１１等も一点鎖線で示している。
【０００５】
この従来の植物育成装置は、図５乃至図７に示すように、育成室１と、育成室１の下方に空気吹出孔２ａを有する空気吹出板２を介在させて形成された空気吹出室３と、育成室１及び空気吹出室３の後側（通常は北側）の側方に形成された機械室４と、育成室１の上側位置において育成室１と機械室４との間を連通させる空気流出口５と、空気吹出室３と機械室４との間を連通させる空気流入口６と、を備えている。空気吹出板２は、育成室１の床板となっている。また、この植物育成装置は、機械室４に配置された送風機７、電気ヒータ８及び冷却コイル９と、空気吹出室４に配置された遠心噴霧式の加湿器１０と、を備えている。空気吹出室３の南側の側面には排気口２２が設けられ、送風機７と空気流出口５との間の位置において機械室４を外部に連通させる通気口２３が設けられている。
【０００６】
育成室１の前側（通常は南側）の側壁、両横側（通常は東側及び西側）の側壁及び天井が、透明のガラス板を用いて構成されており、育成室１内に自然光が採光されるようになっている。育成室１の後側の側壁は機械室４との間の仕切板で構成されている。
【０００７】
この植物育成装置は底フレーム１１を有しており、図面には詳細に示していないが、各室１，３，４の側壁やその他の構造物が直接又は間接的に底フレーム１１により支持されている。
【０００８】
また、図５乃至図７に示すように、空気吹出室３及び機械室４の底面となるドレーンパン１２及び該ドレーンパン１２に接続された排水管１３が設けられ、空気吹出室３や機械室４の下方に落ちる水を外部に排水するようになっている。なお、ドレーンパン１２には水勾配が形成されている。排水管１３は水封トラップ部１３ａを有しており、該水封トラップ部１３ａに水が溜まり、外部から排水管１３を介して内部に鼠や蛇等の小動物が侵入するのを防止することができるようになっている。
【０００９】
さらに、この植物育成装置は、図５乃至図７に示すように、設置場所に形成された基礎１４上に底フレーム１１が載置されることによって、設置される。基礎１４には、底フレーム１１の外側の領域において、アンカーボルト１５が突設されている。一方、底フレーム１１の外側側面には、アンカーボルト１５に適合する挿通孔を有する断面Ｌ字状の取付金具１６が設けられている。前記植物育成装置の設置時に、断面Ｌ字状の取付金具１６の挿通孔にアンカーボルト１５が挿通され、アンカーボルト１５にボルト１７が螺合され、これにより取付金具１６がアンカーボルト１５に固定され、ひいては底フレーム１１が基礎１４に固定される。また、図７（ｂ）に示すように、底フレーム１１と基礎１４との間の隙間は、外部から雨水等が浸入しないように、シール剤１８によりコーキングされている。なお、図７において、１９は地面、２０は空気吹出室３の西側の側壁、２１は空気吹出室３の南側の側壁である。
【００１０】
前記従来の植物育成装置によれば、送風機７によって、育成室１内の空気が空気流出口５から機械室４内へ吸入される。同時に、通気口２３から外気が機械室４内へ吸入される。吸入された空気は、送風機７から吹き出された後、電気ヒータ８及び冷却コイル９を通過して温度が調整された状態で、空気流入口６から空気吹出室３に供給される。空気吹出室３に供給された空気は、加湿器１０により湿度が調整された状態で、空気吹出板２の吹出孔２ａから育成室１に吹き出される。このとき、空気吹出室３の空気の一部が排気口２２から外部に排気される。なお、排気口２２及び通気口２３を設けて外気を導入するのは、育成室１内に収容した植物が光合成を行い育成室１内のＣＯ2ガスを吸引することによって育成室１内のＣＯ2ガス濃度が低下する、いわゆるＣＯ2飢餓を防止するためである。
【００１１】
【発明が解決しようとする課題】
しかしながら、前記従来の植物育成装置では、アンカーボルト１５が底フレーム１１の外側の領域において基礎１４に突設されているので、その分基礎１４の東西方向の幅が広くなり、占有面積が大きくなるとともに基礎のためのコンクリート材料を多く必要とするので、不経済である。また、前記従来の植物育成装置では、底フレーム１１と基礎１４との間にシール剤１８をコーキングする際に、そのコーキングがアンカーボルト１５の付近で行いにくく、作業性が悪い。また、アンカーボルト１５は錆やすいが、アンカーボルト１５が外部に露出しているので、見栄えが悪い。そこで、アンカーボルト１５を底フレーム１１の内側の領域に設けることが考えられるが、その場合には、アンカーボルト１５がドレーンパン１２の下側に位置してしまうので、ドレーンパン１２が邪魔になってアンカーボルト１５に底フレーム１１の取付部を固定することは不可能であり、結局、アンカーボルト１５を底フレーム１１の内側の領域に設けることは不可能であると考えられていた。
【００１２】
さらに、前記従来の植物育成装置では、空気吹出室３や機械室４の下方に落ちる水を排水するために、特別にドレーンパン１２を設けていたので、その分コストアップを免れない。
【００１３】
本発明は、前記事情に鑑みてなされたもので、基礎の幅を従来より狭くすることができ、底フレームと基礎との間の隙間をシール剤によりコーキングする場合であってもそのコーキングが行いやすく、見栄えも良く、しかも特別にドレーンパンを設ける必要がなく、安価な植物育成装置を提供することを目的とする。
【００１４】
【課題を解決するための手段】
前記課題を解決するため、本発明の第１の態様による植物育成装置は、育成室と、前記育成室の下方に空気吹出孔を有する空気吹出板を介在させて形成された空気吹出室と、前記育成室及び空気吹出室の側方に形成された機械室と、前記育成室の上側位置において前記育成室と前記機械室との間を連通させる空気流出口と、前記空気吹出室と前記機械室との間を連通させる空気流入口と、前記機械室に配置された送風機と、前記空気吹出室から前記空気吹出板を介して前記育成室へ調整された空気が吹き出されるように空気を調整する空気調整手段と、を備えた植物育成装置であって、当該植物育成装置が設置される基礎に突設されたアンカーボルトに、前記植物育成装置の底フレームに設けられた取付部が固定される植物育成装置において、前記空気吹出室及び前記機械室の底面となるドレーンパンを設けずに、前記基礎の上面が前記空気吹出室及び前記機械室の底面となるようにし、前記空気吹出室及び前記機械室の底面となる前記基礎の上面に落ちた水が外部に排水されるように、前記底フレームの内側の領域から前記底フレームの下側位置を介して前記底フレームの外側の領域に延在する排水溝を前記基礎に形成するとともに、前記基礎に水勾配を形成し、前記底フレームの内側の領域において前記アンカーボルトを前記基礎に突設したものである。
【００１５】
本発明の第２の植物育成装置は、前記第１の態様による植物育成装置において、前記排水溝における前記底フレームの下側位置の部分に、粒状物を敷設したものである。
【００１６】
本発明の第３の植物育成装置は、育成室と、前記育成室の下方に空気吹出孔を有する空気吹出板を介在させて形成された空気吹出室と、前記育成室及び空気吹出室の側方に形成された機械室と、前記育成室の上側位置において前記育成室と前記機械室との間を連通させる空気流出口と、前記空気吹出室と前記機械室との間を連通させる空気流入口と、前記機械室に配置された送風機と、前記空気吹出室から前記空気吹出板を介して前記育成室へ調整された空気が吹き出されるように空気を調整する空気調整手段と、を備えた植物育成装置であって、当該植物育成装置が設置される基礎に突設されたアンカーボルトに、前記植物育成装置の底フレームに設けられた取付部が固定される植物育成装置において、前記空気吹出室及び前記機械室の底面となるドレーンパンを設けずに、前記基礎の上面が前記空気吹出室及び前記機械室の底面となるようにし、前記空気吹出室及び前記機械室の底面となる前記基礎の上面に落ちた水が外部に排水されるように、前記底フレームの内側の領域において前記基礎に排水溝及び水勾配を形成するとともに、前記底フレームの外側の領域に導出される排水管が前記排水溝に接続され、前記底フレームの内側の領域において前記アンカーボルトを前記基礎に突設したものである。
【００１７】
本発明の第４の態様による植物育成装置は、前記第３の態様による植物育成装置において、前記排水管が水封トラップ部を有するものである。
【００１８】
本発明の第５の態様による植物育成装置は、前記第１乃至第４のいずれかの態様による植物育成装置において、前記底フレームと前記基礎との間の隙間をシール剤でコーキングするものである。
【００１９】
本発明によれば、空気吹出室及び機械室の底面となるドレーンパンが設けられることなく、基礎の上面が空気吹出室及び機械室の底面とされ、基礎自体がドレーンパンとして兼用されることになる。
【００２０】
したがって、これによって初めて底フレームの内側の領域においてアンカーボルトを基礎に突設することが可能となり、本発明では、アンカーボルトが底フレームの内側の領域に設けられているので、次のような利点が得られる。すなわち、第１に、基礎の幅を従来に比べて狭くすることができ、占有面積を小さくすることができるとともに基礎のためのコンクリート材料が少なくてすみ、経済的である。第２に、底フレームと基礎との間にシール剤でコーキングする場合であっても、アンカーボルトの部分がそのコーキングの邪魔にならないので、コーキングの作業性が良くなる。第３に、アンカーボルトが錆びても外部からは見えないので、見栄えが良くなる。
【００２１】
また、本発明によれば、前述したように基礎自体がドレーンパンとして兼用されるので、従来のように特別にドレーンパンを設ける必要がなく、安価となる。
【００２２】
【発明の実施の形態】
以下、本発明の一実施の形態による植物育成装置について、図１乃至図３を参照して説明する。
【００２３】
図１は本実施の形態による植物育成装置を示す概略縦断面図、図２は図１中のＤ−Ｄ矢視図、図３（ａ）は図２中のＥ−Ｅ矢視図、図３（ｂ）は図２中のＦ−Ｆ矢視図である。なお、図２において、基礎４４と底フレーム４１等との位置関係を明らかにするため、底フレーム４１等も一点鎖線で示している。
【００２４】
本実施の形態による植物育成装置は、図１乃至図３に示すように、育成室３１と、育成室３１の下方に空気吹出孔３２ａを有する空気吹出板３２を介在させて形成された空気吹出室３３と、育成室３１及び空気吹出室３３の後側（通常は北側）の側方に形成された機械室３４と、育成室３１の上側位置において育成室３１と機械室３４との間を連通させる空気流出口３５と、空気吹出室３３と機械室３４との間を連通させる空気流入口３６と、を備えている。空気流出口３５には、必要に応じてフィルタ（図示せず）が設けられる。本実施の形態では、空気吹出板３２は、育成室３１の床板として兼用されている。空気吹出板３２は、適当な大きさに分割され、根太（図示せず）上に載置されているだけであり、取り外し自在となっている。また、この植物育成装置は、機械室３４に配置された送風機３７、電気ヒータ３８及び冷却コイル３９と、空気吹出室３４に配置された遠心噴霧式の加湿器４０と、を備えている。
【００２５】
また、本実施の形態では、空気吹出室３の南側の側面には排気口４２が設けられ、送風機３７と空気流出口３５との間の位置において機械室３４を外部に連通させる通気口４３が設けられている。もっとも、排気口４２を設けずに、例えば、育成室３１の南側の側壁に外部に連通する隙間を形成してもよい。
【００２６】
本実施の形態では、電気ヒータ３８、冷却コイル３９及び加湿器４０が、空気吹出室３３から空気吹出板３２を介して育成室３１へ調整された空気が吹き出されるように空気を調整する空気調整手段を構成している。もっとも、本発明では、空気調整手段の構成は、このような構成に限定されるものではない。また、加湿器４０は、機械室３４における冷却コイル３９の下側に配置してもよいし、蒸気加湿器や超音波加湿器など任意の加湿器を採用することができる。
【００２７】
育成室３１の前側（通常は南側）の側壁、両横側（通常は東側及び西側）の側壁及び天井が、透明のガラス板を用いて構成されており、育成室３１内に自然光が採光されるようになっている。育成室３１の後側の側壁（通常は北側）は機械室３４との間の仕切板で構成されている。なお、図面には示していないが、育成室１の前側の側壁には開閉自在の扉又は戸が設けられている。
【００２８】
本実施の形態による植物育成装置は底フレーム４１を有しており、図面には詳細に示していないが、各室３１，３３，３４の側壁やその他の構造物が直接又は間接的に底フレーム４１により支持されている。なお、本実施の形態では、底フレーム４１としてチャネル材が用いられているが、角パイプ等を用いてもよい。
【００２９】
また、本実施の形態による植物育成装置は、図１乃至図３に示すように、設置場所に形成された基礎４４上に底フレーム４１が載置されることによって、設置される。
【００３０】
図１乃至図３に示すように、空気吹出室３及び機械室４の底面となるドレーンパン（図５中のドレーンパン１２に相当するもの）は設けられておらず、基礎４４の上面が空気吹出室３３及び機械室３４の底面とされている。空気吹出室３３及び機械室３４の底面となる基礎４４の上面に落ちた水が外部に排水されるように、底フレーム４１の内側の領域から底フレーム４１の下側位置を介して底フレーム４１の外側の領域に延在する排水溝５０が基礎４４に形成されるとともに、基礎４４に水勾配が形成されている。
【００３１】
本実施の形態では、図３（ｂ）に示すように、排水溝５０における底フレーム４１の下側位置の部分には、砂利等の粒状物５１が敷設されている。粒状物５１の敷設は、排水溝５０を介して内部に鼠や蛇等の小動物が侵入するのを防止したり、空気吹出室３３を外部に対して極力気密に保ったりするためには、好ましいものであるが、本発明では、必ずしもこのような粒状物５１の敷設を行わなくてもよい。
【００３２】
基礎４４には、図２及び図３に示すように、底フレーム４１の内側の領域において、アンカーボルト４５が突設されている。一方、底フレーム４１の内側側面には、アンカーボルト４５に適合する挿通孔を有する断面Ｌ字状の取付金具４６が取付部として設けられている。なお、アンカーボルト４５に固定するための取付部としては断面Ｌ字状の取付金具に限定されるものではない。前記植物育成装置の設置時に、断面Ｌ字状の取付金具４６の挿通孔にアンカーボルト４５が挿通され、アンカーボルト４５にボルト４７が螺合され、これにより取付金具４６がアンカーボルト４５に固定され、ひいては底フレーム４１が基礎４４に固定される。また、図３に示すように、底フレーム４１と基礎４４との間の隙間は、シール剤４８によりコーキングされている。このようなコーキングは、雨水等の浸入を防止したり、空気吹出室３を外部に対して極力気密に保ったりするためには、好ましいものであるが、本発明では、必ずしもこのようなコーキングを行わなくてもよい。
【００３３】
なお、図３において、５２は地面、５３は空気吹出室３３の西側の側壁、５４は空気吹出室３３の南側の側壁である。
【００３４】
本実施の形態による植物育成装置によれば、送風機３７によって、育成室３１内の空気が空気流出口３５から機械室３４内へ吸入される。同時に、通気口４３から外気が機械室３４内へ吸入される。吸入された空気は、送風機３７から吹き出された後、電気ヒータ３８及び冷却コイル３９を通過して温度が調整された状態で、空気流入口３６から空気吹出室３３に供給される。空気吹出室３３に供給された空気は、加湿器４０により湿度が調整された状態で、空気吹出板３２の吹出孔３２ａから育成室３１に吹き出される。このとき、空気吹出室３３の空気の一部が排気口４２から外部に排気される。
【００３５】
また、空気吹出室３３及び機械室３４から下方に落ちた水は、基礎４４の上面に形成された水勾配に従って排水溝５０を介して更に粒状物５１の隙間を通って外部に排水される。
【００３６】
そして、本実施の形態による植物育成装置では、空気吹出室３３及び機械室３４の底面となるドレーンパンが設けられることなく、基礎４４の上面が空気吹出室３３及び機械室３４の底面とされ、基礎４４自体がドレーンパンとして兼用されることになる。
【００３７】
したがって、これによって初めて底フレーム４１の内側の領域においてアンカーボルト４５を基礎４４に突設することが可能となり、本実施の形態では、アンカーボルト４５が底フレーム４１の内側の領域に設けられているので、次のような利点が得られる。すなわち、第１に、基礎４４の東西方向の幅を従来に比べて狭くすることができ、占有面積を小さくすることができるとともに基礎４４のためのコンクリート材料が少なくてすみ、経済的である。第２に、底フレーム４１と基礎４４との間にシール剤４８でコーキングする場合であっても、アンカーボルト４５の部分がそのコーキングの邪魔にならないので、コーキングの作業性が良くなる。第３に、アンカーボルト４５が錆びても外部からは見えないので、見栄えが良くなる。
【００３８】
また、本実施の形態によれば、前述したように基礎４４自体がドレーンパンとして兼用されるので、従来のように特別にドレーンパンを設ける必要がなく、安価となる。
【００３９】
さらに、本実施の形態によれば、排水溝５０が底フレーム４１の内側の領域から底フレーム４１の下側位置を介して底フレーム４１の外側の領域に延在させられており、特別な排水管が設けられていないので、一層安価となる。しかも、砂利等の粒状物５１を敷設するのみで、小動物の侵入を防止することができるので、従来のように水封トラップ部を形成する場合に比べて、安価となる。
【００４０】
次に、本発明の他の実施の形態による植物育成装置について、図４を参照して説明する。
【００４１】
図４は、本実施の形態による植物育成装置の主要部を示す断面図であり、図３（ｂ）に対応している。図４において、図１乃至図３中の構成要素と同一又は対応する構成要素には同一符号を付し、その説明は省略する。
【００４２】
本実施の形態による植物育成装置が前述した図１乃至図３に示す実施の形態による植物育成装置と異なる所は、図１乃至図３に示す実施の形態では、排水溝５０が底フレーム４１の内側の領域から底フレーム４１の下側位置を介して底フレーム４１の外側の領域に延在させられるとともに粒状物５１が敷設されているのに対し、本実施の形態では、図４に示すように、排水溝５０が底フレーム４１の内側の領域のみに形成され、底フレーム４１の外側の領域に導出される排水管６０が排水溝５０に接続され、排水管６０に水封トラップ部６０ａが形成されている点のみである。
【００４３】
本実施の形態によれば、図１乃至図３に示す実施の形態と同様の利点が得られる他、特別に排水管６０を設けているので、その分図１乃至図３に示す実施の形態よりやや高価となるものの、空気吹出室３３を底フレーム４１の下側位置においても完全に気密に保つことができる利点がある。なお、必ずしも、排水管６０に水封トラップ部６０ａを形成しておく必要はない。
【００４４】
以上、本発明の各実施の形態について説明したが、本発明はこれらの実施の形態に限定されるものではない。
【００４５】
例えば、前述した実施の形態は自然光を利用する植物育成装置の例であったが、本発明は、人工光源を利用する植物育成装置にも適用することもできる。
【００４６】
【発明の効果】
本発明によれば、基礎の幅を従来より狭くすることができ、底フレームと基礎との間の隙間をシール剤によりコーキングする場合であってもそのコーキングが行いやすく、見栄えも良く、しかも特別にドレーンパンを設ける必要がなく、安価な植物育成装置を提供することができる。
【図面の簡単な説明】
【図１】本発明の一実施の形態による植物育成装置を示す概略縦断面図である。
【図２】図１中のＤ−Ｄ矢視図である。
【図３】本発明の前記実施の形態による植物育成装置を示す所定の箇所の断面図であり、（ａ）は図２中のＥ−Ｅ矢視図、（ｂ）は図２中のＦ−Ｆ矢視図である。
【図４】本発明の他の実施の形態による植物育成装置の主要部を示す断面図であり、図３（ｂ）に対応する断面図である。
【図５】従来の植物育成装置を示す概略縦断面図である。
【図６】図５中のＡ−Ａ矢視図である。
【図７】前記従来の植物育成装置を示す所定の箇所の断面図であり、（ａ）は図６中のＢ−Ｂ矢視図、（ｂ）は図６中のＣ−Ｃ矢視図である。
【符号の説明】
３１  育成室
３２  空気吹出板
３２ａ  空気吹出孔
３３  空気吹出室
３４  機械室
３５  空気流出口
３６  空気流入口
３７  送風機
３８  電気ヒータ
３９  冷却コイル
４０  加湿器
４１  底フレーム
４４  基礎
４５  アンカーボルト
４６  取付金具
４８  シール剤
５０  排水溝
５１  粒状物
６０  排水管
６１  水封トラップ部
【図１】
0003653310.tif 000002
【図２】
0003653310.tif 000003
【図３】
0003653310.tif 000004
【図４】
0003653310.tif 000005
【図５】
0003653310.tif 000006
【図６】
0003653310.tif 000007
【図７】
0003653310.tif 000008